(57)【要約】【課題】十字ソケットへの結合が容易で、多数の通常フックを確実に結合させる固縛中継用フックを提供する。【解決手段】単一棒状のステンレス素材を曲げて形成した係止中継用フック（１０）であって、素材の中央部を曲げて環状としたフック係合部（１１）に続いて、根元（１２ａと１２ｂ）は密着し端部側（１３ａと１３ｂ）は開き、かつそれぞれを、フック係合部（１１）の環状面に略直角な面内でＪ字状に折り返したソケット係合部（１２）を設ける。ソケット係合部（１２）の密着する部分（１２ａと１２ｂの接触面）は溶接する。【選択図】図１
2005155707.tif 000002
【特許請求の範囲】
【請求項１】
十字形の係合部を有するソケットに係合するソケット係合部と、固縛用フックを係合させるフック係合部とを備える中継用のフックであって、
前記フック係合部は、前記固縛用フックが係合する円弧状の部分を有し、
前記ソケット係合部は、前記ソケットの係合部の十字部分を挟んだ複数の各部分にそれぞれ係合する複数の係合部を有すること、
を特徴とする固縛中継用フック。
【請求項２】
請求項１に記載の固縛中継用フックにおいて、
単一の棒状素材から形成され、
前記フック係合部は、前記棒状素材の中央部を曲げて環状とすることによって設けられ、
前記ソケット係合部は、前記フック係合部を挟む前記棒状素材の二つの部分を密着し、前記密着する部分の両端部側を開き、その両端部のそれぞれを、前記フック係合部の環状面に略垂直な面内でＪ字状に折り返すことによって設けられること、
を特徴とする固縛中継用フック。
【請求項３】
請求項２に記載の固縛中継用フックにおいて、
前記棒状素材は金属であって、前記ソケット係合部の前記密着する部分が溶接されていること、
を特徴とする固縛中継用フック。
【発明の詳細な説明】
【技術分野】
【０００１】
本発明は、船舶の甲板等に埋め込まれた積み荷固縛用の十字形の係合部を備えるソケット（以下、「十字ソケット」という。）に係合し、積み荷固縛用フックを係合させ、両者を係合させるために使用される固縛中継用フックに関するものである。
【背景技術】
【０００２】
船舶に積載される荷物、車両等を甲板に固定するため、従来は、甲板等に埋め込まれている固縛用ソケットに、荷物類を抑えるワイヤ−、チェーン、ベルト等の端部に取り付けた固縛用フック（以下、「通常フック」という。）が係合されていた。
前記ソケットと通常フックとの組み合わせは、既出願の特許文献（例えば、特許文献１など）の中にも示されている。
【０００３】
図５は、通常フックを十字ソケットに直接係合した従来例を示す斜視図である。
特に船舶の積み荷を固定する場合は、一般に図５に示すようなお碗型十字ソケット１が甲板などに多数埋め込まれていて、この十字ソケット１に通常フック２２ａの１〜３本、あるいはそれ以上を引っかけて固定しなければならないことが多い。しかし通常フック２２ａを十字ソケット１に直接引っかける場合は、１、２本しか引っかけることができない。
また、積み荷によって通常フック２２ａから、十字ソケット１のバーに対して垂直方向への力がかかる場合には問題ないが、垂直方向からずれた方向の力がかかった場合には、通常フック２２ａの係合する位置がバーに沿って大きくずれ、水平方向の固定が不安定であるという問題があった。更に、垂直方向からずれた方向への力に対処するために、バーの交差した部分や、バーの根元で通常フック２２ａを固定した場合には、通常フック２２ａの係合部分以外の所に力が加わり、通常フック２２ａが変形、破損するおそれがあった。
【０００４】
そこで従来は、図６に示すように、両端に環状部２３ａ、２３ｂを設けたワイヤ２３を使用し、十字ソケット１の十字部分の下側を通過させたワイヤ２３の両端の環状部２３ａと２３ｂを重ね、その環状部に通常フック２２ｂ、２２ｃなどを何本も引っかけていた。
しかし、使用するワイヤ２３は十分な強度を有することが望ましく、丈夫なワイヤ２３は硬いため癖がつきやすいため、癖のついたワイヤ２３を十字ソケット１の孔に通せるような形に整えるのは困難であり、十字ソケット１への係合が困難であるという問題があった。同様に、ワイヤ２３を十字ソケット１から外すことも困難であった。つまり、十字ソケット１への着脱が困難という問題があった。
【特許文献１】特開平９−８６４８７号公報
【発明の開示】
【発明が解決しようとする課題】
【０００５】
本発明の課題は、単純な構造で、破損しにくく、十字ソケットへの着脱が容易であるとともに、複数の通常フックとの安定した係合及び十字ソケットとの安定した係合が可能な、固縛中継用フックを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、十字形の係合部を有するソケット（１）に係合するソケット係合部（１２）と、固縛用フック（２）を係合させるフック係合部（１１）とを備える中継用のフックであって、前記フック係合部は、前記固縛用フックが係合する円弧状の部分を有し、前記ソケット係合部は、前記ソケットの係合部の十字部分を挟んだ複数の各部分にそれぞれ係合する複数の係合部（１３ａ，１３ｂ）を有すること、を特徴とする固縛中継用フック（１０）である。
【０００７】
請求項２の発明は、請求項１に記載の固縛中継用フックにおいて、単一の棒状素材から形成され、前記フック係合部は、前記棒状素材の中央部を曲げて環状とすることによって設けられ、前記ソケット係合部は、前記フック係合部を挟む前記棒状素材の二つの部分（１２ａ，１２ｂ）を密着し、前記密着する部分の両端部側を開き、その両端部（１３ａ，１３ｂ）のそれぞれを、前記フック係合部の環状面に略垂直な面内でＪ字状に折り返すことによって設けられること、を特徴とする固縛中継用フック（１０）である。
【０００８】
請求項３の発明は、請求項２に記載の固縛中継用フックにおいて、前記棒状素材は金属であって、前記ソケット係合部の前記密着する部分が溶接されていること、を特徴とする固縛中継用フック（１０）である。
【発明の効果】
【０００９】
本発明によれば、以下のような効果がある。
（１）円弧状の部分に固縛用フックを係合させることによって、加重の偏りを防止し、複数の通常フックとの安定した係合が可能となる。また、固縛用フックの着脱が容易となる。更に、ソケットの係合部の十字部分を挟んだ複数の各部分にそれぞれ係合することによって、ソケットにかかる加重の偏り、係合時における係合位置の大きなずれを防止し、ソケットとの安定した係合が可能となる。更にまた、安定した係合によって破損を防止することが可能となる。
（２）単一の棒状素材から形成することによって、単純な構造とすることができ、製造コストなどの負担を軽減することが可能となる。また、Ｊ字状に折り返した棒状素材の両端部がソケットに係合することによって、ソケットへの着脱が容易となる。
（３）ソケット係合部の密着する部分を溶接することにより、切断や捩れなどの変形に対する高い強度が確保できる。
【発明を実施するための最良の形態】
【００１０】
本発明は、単純な構造で、強度が十分で、十字ソケットへの係合が容易であるとともに、多数の通常フックを安定状態で係合できるようにするという目的を、単一の棒状のステンレスを使用し、フック係合部を丸形環状とし、それに続いて、根元が溶接され、先端部が適度に開いたソケット係合部を設けることによって実現した。
【実施例１】
【００１１】
以下、図面等を参照して、本発明の実施例をあげて、さらに詳しく説明する。
図１は、本発明による固縛中継用フックの実施例を示す斜視図である。
図２は、図１の固縛中継用フックを、フック係合部１１の環状の面に直角な面で左右対称に切断した断面図である。
図３は、図１の固縛中継用フックの平面図（図３（ａ））と正面図（図３（ｂ））である。
図４は、船舶の甲板上に本実施例を使用して、コンテナＣｏをワイヤＷ、Ｗ・・・Ｗで固定した例を示す参考図（斜視図）である。甲板上の十字ソケット１ａ、１ｂのそれぞれに係合した本実施例の固縛中継用フック１０ａ、１０ｂのフック係合部１１ａ、１１ｂには、ワイヤＷの端部の通常フック２ｄ、２ｅあるいは２ｆ、２ｇが係合されている。
【００１２】
各図に示すように、固縛中継用フック１０（１０ａ，１０ｂ）は、フック係合部１１（１１ａ，１１ｂ）と、ソケット係合部１２を備えている。
本実施例において固縛中継用フック１０の材質はステンレスであって、直径１６ｍｍの単一棒状の素材（ステンレス）を曲げることによって形成される。材質をステンレスにしたのは、錆びない物を選び、特に、船舶における使用に適するようにしたものである。
この直径が小さい場合は十分な強度が得られない。大きすぎると、後記のＪ字状折り返しの内径の半径（図３（ｂ）のＲ）が大きくなり、十字ソケット１の十字形の部分に挿入することができなくなる。
【００１３】
フック係合部１１は、単一棒状の素材の中央部を曲げて、通常フック２ａ、２ｂ、２ｃ（以下、通常フック２ａ〜２ｇを総括して「通常フック２」という。）を係合させるために、略円に近い環状としてある。
フック係合部１１を丸い環状としたのは、たとえば環状部分からソケット係合部１２のＪ字状の折り返し点までの２本の足の長さに不同を生じた場合でも、常に通常フックの係合位置が最良点になるようにするためである。
この環状の内径（図３（ａ）のＤ2 ）は、本実施例では８０ｍｍである。外径（図３（ａ）のＤ3 ）は、１１２ｍｍである。
【００１４】
ソケット係合部１２は、十字ソケット１に係合するために、フック係合部１１に続いて設けられ、フック係合部１１の環状の起点と終点において素材を対称的に折り曲げ、折り曲げ点から沿わせるようにしてくびれをつくり、フック係合部側の部分１２ａと１２ｂは密着させて溶接し、素材両端部側（ソケット係合部１２の先端側）の部分であるＪ形折り返し部１３ａと１３ｂは、適度の角度で開いてある。
Ｊ形折り返し部１３ａと１３ｂは、それぞれフック係合部１１の環状面に略直角な面内でＪ字状に折り返してある。
【００１５】
もしフック係合部１１が丸い環状でなく、三角、四角などの角形にした場合は、角張った位置に通常フック２が掛かり、加重が偏る。
丸い環状であれば、通常フック２の最初の一本を掛けるとき、二つのＪ字状折り返し点と通常フック係合点によって作られる支点の三角形が二等辺三角形になり、加重のバランスがとれる。さらに、二本以上の通常フック２２を掛ける場合でも、フック係合部１１が丸い環状でないときには、角に係合点がきて加重のバランスを崩すが、丸い環状の場合では、中心線の両側の適当な場所に通常フック２の係合位置がきて、力のバランスが必然的にとれる。
【００１６】
ソケット係合部１２のＪ形折り返し部１３ａと１３ｂは適度の角度で開いてある。足を開いて２本にしたのは、加重を分散させるとともに、十字ソケット１との係合時における係合位置の大きなずれを防止し、十字ソケット１との係合に適した形状としたものである。
ソケット係合部側の部分１２ａと１２ｂは密着させて、その密着部分１２ｃは溶接してある。この溶接された部分１２ｃがあることによって、切断や捩れに対する強度を増し、変形を防止することができる。
【００１７】
以下、図３を中心に参照しながら、各部の形状、寸法について説明する。
ソケット係合部１２のＪ形折り返し部１３ａと１３ｂの開きの角度（図３（ａ）のＡ1 ）は、３０°である。開きの角度Ａ1 は、ソケット係合部１２の十分な強度を保つためには、４０°以下であればよいが、３０°にしたのは、主として十字ソケット１の十字形に合わせるためで、十字ソケット１の十字に掛かる（着脱できる）範囲で狭いほど良い。
なお、二つのＪ字状折り返し点の素材の中心を結ぶ線とフック係合部１１の環の中心との距離（図３（ａ）のＬ1 ）は、１５０ｍｍであり、二つのＪ字状折り返し点の素材の中心どうしの間隔（図３（ａ）のＬ2 ）は、５０ｍｍである。
【００１８】
Ｊ形折り返し部１３ａと１３ｂは、それぞれＪ字状に折り返してあるが、素材の径が太いと、引っかけ部分の径が大きくなってしまう。むりに急角度で曲げると、強度が小さくなる。しかしある程度小さくしないと、外れやすい係合状態となる。
また、Ｊ字状の折り返しは、係合しているときの外れにくくする、つまり、係合時に安定させるためには、折り返し角度（図３（ｂ）のＡ2 ）を０°として平行に折り返した方がよいが、引っかけやすさ、外しやすさなどの十字ソケット１に対する固縛中継用フック１０の着脱の容易性を考慮すると、折り返し角度Ａ2 は１０°〜１５°が望ましく、本実施例においては、１０°とした。
同様に、Ｊ字状の折り返しの内径の半径（図３（ｂ）のＲ）は、係合時の安定性及び着脱の容易性を考慮し、本実施例においては、１０ｍｍとした。
また同様に、Ｊ字状の折り返し部分は、返し点の素材の中心と先端までの距離（図３（ａ）のＬ3 ）は、係合時の安定性を考慮した場合には、長い方がよいが、着脱の容易性を考慮し、２８ｍｍとした。
【００１９】
（変形例）
以上説明した実施例に限定されることなく、種々の変形や変更が可能であって、それらも本発明の均等の範囲内である。
例えば、フック係合部１１の形状は、実施例１では略円状であるが、角のない丸みのある形状、つまり、環状であればよく、長手方向に長いか、あるいはその直角方向に長い楕円状でもよい。また、通常フック２を係合させる部分が環状、つまり、円弧状であれば、よく、例えば、フック係合部１１は、半円形の形状であってもよい。
【００２０】
固縛中継用フック１０の各部の寸法は、各部の機能が害されない範囲であれば限定されず、説明したもの以外でも、係合の対象となる十字ソケット１の各部寸法の違いや、係合させる通常フック２の形状、寸法、および係合すべき最大個数などに応じて変更することが可能である。
【図面の簡単な説明】
【００２１】
【図１】本発明による固縛中継用フックの実施例を示す斜視図である。
【図２】本発明による固縛中継用フックを左右対称に切断した断面図である。
【図３】本発明による固縛中継用フックの平面図と正面図である。
【図４】船舶の甲板で本発明による固縛中継用フックを使用した例を示す参考図（斜視図）である。
【図５】通常フックを十字ソケットに直接係合した従来例を示す斜視図である。
【図６】ワイヤを介して通常フックを十字ソケットに引っかけた従来例を示す斜視図である。
【符号の説明】
【００２２】
１、１ａ、１ｂ  十字ソケット
２ａ〜２ｇ  通常フック
１０、１０ａ、１０ｂ  固縛中継用フック
１１、１１ａ、１１ｂ  フック係合部
１２  ソケット係合部
１３ａ、１３ｂ  Ｊ形折り返し部分
【図１】
2005155707.tif 000003
【図２】
2005155707.tif 000004
【図３】
2005155707.tif 000005
【図４】
2005155707.tif 000006
【図５】
2005155707.tif 000007
【図６】
2005155707.tif 000008